(57)【要約】      （修正有）【課題】屋根材締結用ネジに組み合わされる上水性を有する樹脂製パッキンとネジの組み合わせ体において、従来の構成に比べ長期に渡り、確実に十分な止水性を発揮できる構造を提供する。【解決手段】止水性を有する樹脂製パッキンとネジの組み合わせ体を用いて、屋根材を締結する場合、樹脂製パッキンの胴部本体に製造時気泡が混入することを防ぐ為の突起を設けることで、樹脂製パッキンの品質安定性を向上させ、樹脂製パッキンに設けられた貫通孔周辺部にボス部を設け、さらにその樹脂製パッキンを、頭部下面に凹部を有するネジに組み合わせる。こうすることで、留めつけられる物品に設けられた、ネジの挿通孔に対して十分な止水効果を、長期に渡り確実に発揮することができる。【選択図】図４
2008095478.tif 000002
【特許請求の範囲】
【請求項１】
ネジ軸に係合され、止水を目的としてネジ頭部下に取り付けられる樹脂製パッキンにおいて、該パッキンの貫通穴周面に、一定の肉厚を持ち隆起するように延在させたボス部を設け、かつ該パッキンの外周部に少なくとも１つ以上の凸部を設けたことを特徴とする樹脂製パッキン。
【請求項２】
上面及び下面に設けられたボス部の高さが、略同一であることを特徴とする請求項１に記載の樹脂製パッキン。
【請求項３】
ネジ頭部において、軸部と垂直に交わる面を頭部下面とした場合、頭部下面に環状凹部が設けられたネジにのみ用いられることを特徴とする、請求項１、及び２に記載の樹脂製パッキン。
【発明の詳細な説明】
【技術分野】
【０００１】  本発明は、屋根材締結用ネジに組み合わされる止水性を有するパッキンに関する。
【背景技術】
【０００２】  従来屋根材締結用ネジに組み込まれ、高い止水性能を有するパッキンとして、筒形胴部とこの筒形胴部の両端に設けた鍔部とで構成し、その鍔部がネジと締結物の各面に接触し、前記筒形胴部が外方に膨出し弾性変形することによって、クッション効果により被締結物の振動によるネジの緩みから発生する漏水を防止し、且つパッキンの密着性を高めることが出来ることを特徴とするものが知られている。（特許文献１参照）【０００３】  しかしながら、上記特許文献１に記載の構成では、胴部を弾性変形させるために薄肉部とするため、ネジを捻じ込んだ際、亀裂が発生し、その箇所より漏水が発生してしまうという問題があった。さらに構造上、弾性変形を制御することが出来ず、胴部の箇所によって均一な弾性変形を得られないことから、ネジおよび被締結物に対して十分な密着性を確保できず、密着力が小さな箇所より漏水が発生してしまうという問題があった。【０００４】  さらに、上記特許文献１に記載のパッキンは、施工後通常のパッキンに比べ大きな負荷を永続的に加え続けられている為、結果として樹脂の劣化が通常のパッキンに比べ促進されてしまうという問題があった。【０００５】  また、一般的に樹脂を用いて形成された物品を、一定の力を加えて変形させ固定した場合、樹脂を用いて形成された物品は変形状態の形で固定されてしまうということは公知のことであるが、上記特許文献１に記載のパッキンも例に漏れず、施工後時間を経ると弾性変形した状態で形状が固定されてしまい、ネジに対して十分な密着力を発揮することが出来なくなってしまうという問題点があった。【０００６】  このような問題を解決するために、パッキンの変形を制御しつつパッキンを変形させ十分な止水力を発揮するようにする方法が知られている。（特許文献２参照）【０００７】  しかしながら、上記特許文献２に記載の構成では、被締結物に設けられたネジ相通孔にパッキンをネジと共に捻じ込むことによって、パッキンを縮径させ、開口部内面に対してパッキンを押し当てることで高い止水性を発揮させる構成であるため、被締結物が瓦等表面の粗い材質であった場合、捻じ込み時、胴部表面がヤスリをかけられた様になり、傷及び亀裂が発生してしまい、漏水が発生してしまうという問題があった。【０００８】  さらに、上記特許文献２に記載のパッキンも上記特許文献１に記載のパッキンと同じく通常のパッキンに比べ、施工後大きな負荷を永続的に加えられ続ける構成であることには変わりなく、結果として樹脂の劣化が通常のパッキンに比べ促進されてしまうという問題があった。【０００９】  また、上記特許文献１について述べた際に記載した、樹脂を用いて形成された物品を、一定の力を加えて変形させ固定した場合、樹脂を用いて形成された物品は変形状態の形で固定されてしまうというという現象は、上記特許文献２に記載の構成においても同様に発生し、時間の経過と共にパッキンは開口部内面に対して十分な密着力を発揮させることは困難になる。【００１０】
【特許文献１】特開２００２−１９５４１２
【特許文献２】実開平７−１０６２４
【発明の開示】
【発明が解決しようとする課題】
【００１１】  そこで本発明は、施工時に破損する事無くパッキンを一定量弾性変形させ、確実な止水性能を発揮することができるパッキンを提供する。
【課題を解決するための手段、及び作用】
【００１２】  このような問題を解決するにあたり、本発明はネジ軸に係合され、止水を目的としてネジ頭部下に取り付けられる樹脂製パッキンにおいて、該パッキンの貫通穴周面に、一定の肉厚を持ち隆起するように延在させたボス部を設け、かつ該パッキンの外周部に少なくとも１つ以上の凸部を設けることによって、施工時に胴部の歪な変形を抑止し、常時一定の弾性変形を行わせることができ、上記樹脂製パッキンがネジ及び被締結物に対して確実に密着出来るようにすることができる。
【００１３】  さらに、該パッキンの両貫通穴周面に設けられたボス部の高さを、略同一にすることによって、より確実に上記樹脂製パッキンの弾性変形を促すことができ、ネジへの組み込み作業において、上下面を逆さまに組み込んでしまうという間違いを抑止することができ、その上、上下面どちらからも該パッキンを挿入することで、組立加工作業を効率化することもできる。
【００１４】  また、ネジ頭部において、軸部と垂直に交わる面を頭部下面とした場合、頭部下面に環状凹部が設けられたネジに対して上記樹脂製パッキンを組み合わせることによって、施工時に上記ネジ頭部下面の縁部が上記樹脂製パッキンに接触した後、上記ネジをさらに締め込むことによって、上記樹脂製パッキンに設けられた環状突起が押し潰され、上記樹脂製パッキンと上記ネジ頭部下面の間に設けられた空間の空気を押出す形となり、上記樹脂製パッキンと前記ネジ頭部下面の間に設けられた空間の空気密度は減少し、略真空状態となるため、上記樹脂製パッキンと前記ネジは外気圧によって完全に固着される。結果として、樹脂の弾性力が時間の経過と共に減少し、上記樹脂製パッキンが弾性変形によってネジ頭部下面に対して十分な密着力を発揮できなくなった後でも、外気圧によって永続的に上記樹脂製パッキンのネジ頭部下面に対する密着力を発揮させることができる。
【発明の効果】
【００１５】  本発明の請求項１に記載の構成によれば、止水を目的としてネジ頭部下に取り付けられる樹脂製パッキンにおいて、該パッキンの貫通穴周面に、一定の肉厚を持ち隆起するように延在させたボス部を設けた構成とすることで、施工時にボス部が、組み込まれたネジの頭部下部によってネジの先端方向に押し込まれ、上記樹脂製パッキンのネジ先端側に設けられたボス部を押し下げ、施工完了時、被締結材に対して上記樹脂製パッキンはネジ先端側に設けられたボス部に十分な密着力を発揮させることができる。尚、上記樹脂製パッキンのネジ頭部側のボス部に対しても、ネジの先端側に設けられたボス部の反発作用により、ネジ下面に対して十分な密着力を発揮させることが可能であることは言うまでもない。
【００１６】  さらに、本発明の請求項１に記載の構成によれば、止水を目的としてネジ頭部下に取り付けられる樹脂製パッキンにおいて、該パッキンの外周部に少なくとも１つ以上の凸部を設ける構成とすることによって、一般的に射出成形という製造方法にてパッキンを成形した場合、物品本体の端部に気泡が入るといった問題が発生するが、上記樹脂製パッキンの外周部に少なくとも１つ以上の凸部を設けることで、気泡は凸部まで押しやられ、気泡が上記樹脂製パッキンの本体内部に留まることは無く、素材の密度が一定とならない状態になる現象を防ぐことができる。その結果、上記樹脂製パッキン胴部の素材密度は安定し、上記樹脂製パッキンに常時一定の弾性変形を行わせることが可能となる。
【００１７】  又、本発明の請求項２に記載の構成によれば、上記樹脂製パッキンに設けられたボス部の高さが略同一である構成とすることで、施工後ネジの頭部側に設けられたボス部が、ネジの先端側に設けられたボス部を押す力と、ネジの先端側に設けられたボス部が、ネジの頭部側に設けられたボス部を押し返す力が均等となる為、上記樹脂製パッキンに加わる負荷は相殺され、上記樹脂製パッキンが施工後永続的に負荷を加えられ続け、通常のパッキンに比べ樹脂の劣化を促進してしまうことを防ぐことが出来る。
【００１８】  そして、本発明の請求項３に記載の構成によれば、ネジ頭部において、軸部と垂直に交わる面を頭部下面とした場合、頭部下面に環状凹部が設けられたネジに対して上記樹脂製パッキンを組み合わせることによって、施工時に上記ネジ頭部下面の縁部が上記樹脂製パッキンに接触した後、前記ネジをさらに締め込むことによって、上記樹脂製パッキンのネジの頭部側に設けられたボス部が押し潰され、上記樹脂製パッキンと上記ネジ頭部下面の間に設けられた空間の空気を押出す形となり、上記樹脂製パッキンと上記ネジ頭部下面の間に設けられた空間の空気密度は減少し、略真空状態となるため、上記樹脂製パッキンと上記ネジは外気圧によって完全に固着される。その結果、樹脂の弾性力が時間の経過と共に減少し、上記樹脂製パッキンが弾性変形によって上記ネジ頭部下面に対して十分な密着力を発揮できなくなった後でも、外気圧によって永続的にパッキンのネジ頭部下面に対する密着力を発揮させることができる。
【実施例】
【００１９】  以下、本発明の実施の形態を添付図に基づいて説明する。【００２０】  図１は上記樹脂製パッキンの側面図であり、図２は上記頭部下面に凹部を有するネジの断面図である。さらに、図３は上記樹脂製パッキンと上記頭部下面に凹部を有するネジを組み合わせた状態を示す側面図であり、図４は本発明における施工時の状態を示す断面図である。【００２１】  図１に示すように、本発明の上記樹脂製パッキンは、長手方向略中央周面上に少なくとも１つ以上の凸部を有していることによって、パッキンを一般的に射出成形という製造方法を用いて成形する際に、物品本体の端部に気泡が残り、製品の品質が不均等になる現象を、前記樹脂製パッキンの外周部に少なくとも１つ以上の凸部を設けることで、気泡は凸部に押しやられ、気泡が上記樹脂製パッキンの本体内部に留まることは無く、素材の密度が一定とならない状態になる現象を防ぐことができる。【００２２】さらに、図１に示すように、凸部が前記樹脂製パッキンの外周部に対して環状に設けられることで、より前記樹脂製パッキン内部に形成されるであろう気泡を、ネジ頭部下やネジ軸、被締結物などの密着部とは関係ない外側の凸部に向かって、集中的かつ効率的に押しやることが可能となり、パッキン内部やネジ頭部下、ネジ軸、被締結物などの密着部付近の内包される空気が相対的に減少することで、内包した空気中の酸素密度も減少し、パッキン内部側よりの酸化による劣化を防ぐことも可能となる。【００２３】  また、図１に示すように、止水を目的としてネジ頭部下に取り付けられる樹脂製パッキンにおいて、該パッキンの貫通穴周面に、一定の肉厚を持ち隆起するように延在させたボス部を設けた構成とすることで、施工時に、ネジの頭部側に設けられたボス部が、組み込まれたネジの頭部下部によってネジの先端側に押し込まれることによって、上記樹脂製パッキンネジの先端側に設けられたボス部を押し下げ、施工完了時、被締結材に対して上記樹脂製パッキンのネジの先端側に設けられたボス部に十分な密着力を発揮させることができる。尚、上記樹脂製パッキンのネジの頭部側に設けられたボス部に対しても、ネジの先端側に設けられたボス部の反発作用により、ネジ下面に対して十分な密着力を発揮させることが可能であることは言うまでもない。【００２４】尚、この際上記樹脂製パッキンのネジの先端側に設けられたボス部の径が、上記樹脂製パッキンのボス隆起開始部より離れるにつれて縮径するように形成されると共に、留めつけられる物品に設けられたネジ挿通孔の径と、ボス隆起開始部より１ｍｍ以上５ｍｍ以下離れた位置に、ネジの先端側に設けられたボス部の径が同一となるように形成されることによって、上記樹脂製パッキンが留めつけられる物品に設けられたネジ挿通孔に対してクサビのように食い込んで密着し、より高い止水効果を発揮することができる。【００２５】  つぎに、図１に示すように、上記樹脂製パッキンに設けられたボス部の高さが略同一である構成とすることで、施工後上面に設けられたボス部が、ネジの先端側に設けられたボス部を押す力と、ネジの先端側に設けられたボス部が、ネジの頭部側に設けられたボス部を押し返す力が均等になる為、上記樹脂製パッキンに加わる負��は相殺され、上記樹脂製パッキンが施工後永続的に負荷を加えられ続け、通常のパッキンに比べ樹脂の劣化を促進してしまうことを防ぐことが出来る。【００２６】  そして、図２に示すネジのネジ頭部において、軸部と垂直に交わる面を頭部下面とした場合、図３に示すように頭部下面に環状凹部が設けられたネジに対して上記樹脂製パッキンを組み合わせることによって、図４に示すように施工時に上記ネジ頭部下面の縁部が上記樹脂製パッキンに接触した後、前記ネジをさらに締め込むことによって、上記樹脂製パッキンに設けられたボス部が押し潰され、上記樹脂製パッキンと上記ネジ頭部下面の間に設けられた空間の空気を押出す形となり、上記樹脂製パッキンと上記ネジ頭部下面の間に設けられた空間の空気密度は減少し、略真空状態となるため、上記樹脂製パッキンと上記ネジは外気圧によって完全に固着される。その結果、樹脂の弾性力が時間の経過と共に減少し、上記樹脂製パッキンが弾性変形の限界を過ぎ塑性状態となって、上記ネジ頭部下面に対して十分な密着力を発揮できなくなった後でも、外部からの気圧による加圧力によって永続的にパッキンのネジ頭部下面に対する密着力を発揮させることができる。【００２７】さらに、ネジの頭部下面に設けられた環状凹部と上記樹脂製パッキンの間に設けられた空間が、略真空状態となることで、上記樹脂製パッキンのネジ頭部下面側の面は空気中の酸素にも触れにくくなり、酸化による樹脂そのものの劣化を防ぐこともできる。【００２８】その際、上記樹脂製パッキンをポリオレフィン系の素材とすることによって、上記樹脂製パッキンは柔軟に弾性変形を行うと共に、十分な止水能力を発揮することが可能となる。
【図面の簡単な説明】
【００２９】
【図１】本発明における、上記樹脂製パッキンの正面図である。
【図２】本発明における、上記ネジ頭部下面に凹部を有するネジの断面図である。
【図３】上記樹脂製パッキンと、上記ネジ頭部下面に凹部を有するネジを組み合わせた状態を示す正面図である。
【図４】本発明の施工時の状態を示す断面図である。
【符号の説明】
１        凸部
２，２′  ボス部
３        留めつけられる物品
４        挿通孔
５        環状凹部
６        ネジ頭部下面の縁部
【図１】
2008095478.tif 000003
【図２】
2008095478.tif 000004
【図３】
2008095478.tif 000005
【図４】
2008095478.tif 000006